(57)【要約】【解決手段】ストライクジャムにパネルロックするための装置は、ロック要素（１０８）に関連付けられた同期移動機構を含み、該ロック要素は開放位置から閉鎖位置に向かうパネル（１０４）の閉鎖運動の一部に応答し、前記パネルがその閉鎖位置に達するのに先立って前記パネルの閉鎖運動中にロック位置へと向かうロック要素（１０８）の運動を開始する。前記同期移動機構は、当該ロック要が素ロック解除位置へと向かうロック要素の移動を防止するロック位置状態にあるとき、好ましくは「デッドロック状態」を有する。【選択図】図２
2022501531.tif 000002
【特許請求の範囲】
【請求項１】
装置であって、
（ａ）ストライクジャムによって一方の側で境界をつけられた開口と、
（ｂ）パネルであって、当該パネルが前記開口を開いたままにするために前記ストライクジャムから分離される開放位置と、当該パネルが前記開口の少なくとも一部を閉鎖する閉鎖位置との間で、前記開口に対して移動自在にマウントされたパネルと、
（ｃ）前記ストライクジャム又は前記パネルに関連付けられたロック要素であって、かつ、ロック要素はロック位置とロック解除位置の間を移動自在のロック要素であって、前記ロック位置において、前記ロック要素が前記パネルの表面と、前記ストライクジャムの間に介在され、前記開放位置に向かって対向するようにされ、前記パネルを前記ストライクジャムにロックし、前記閉鎖位置において前記ロック要素が前記パネルの開放位置への運動を妨害しないように位置付けられてなる、ロック要素と、
（ｄ）前記ロック要素に関連づけられた同期移動機構であって、当該同期移動機構は前記開放位置から前記閉鎖位置に向かう前記パネルの閉鎖運動の少なくとも一部に応答して、前記パネルが前記閉鎖位置に達するのに先立って前記パネルの前記閉鎖運動中に前記ロック位置への前記ロック要素の運動を始め、前記同期移動機構は、前記ロック要素がロック位置にあるとき、デッドロック状態を有し、前記デッドロック状態は前記ロック解除への前記ロック要素の移動を防止する、同期移動機構と、
を含んでなる、装置。
【請求項２】
前記同期移動機構は係合位置へ前記ロック要素を移動させるように構成され、前記係合位置は、前記パネルが前記閉鎖位置に達するのに先立ち前記パネルの閉鎖運動中に前記パネルの表面と前記ストライクジャムと間に介在される、請求項１に記載の装置。
【請求項３】
前記同期移動機構は前記パネルが前記閉鎖位置に達するまでにロック要素のロック位置への移動を終了するように構成される、請求項１に記載の装置。
【請求項４】
前記同期移動機構は前記パネルが前記パネルの前記閉鎖運動中に第１の位置に達すると、前記ロック要素のロック位置への移動を終了するように構成され、前記デッドロック状態への前記同期移動機構のさらなる運動が、前記第１の位置を超える前記閉鎖運動のさらなる部分中に生じる、請求項１に記載の装置。
【請求項５】
さらに移動自在のスペーサを含み、前記同期移動機構は前記閉鎖運動の前記さらなる部分の間に、前記移動自在な前記スペーサを移動させるように、さらに構成され、その結果、移動自在のスペーサが、前記パネルの表面と、ストライクジャムとの間に介在され、前記パネルが前記第１の位置に戻ることを防止する、請求項４に記載の装置。
【請求項６】
前記ストライクジャム又は前記パネルに関連づけられ、前記閉鎖運動の前記さらなる部分によって伸縮自在に変形するように配置された弾性の付勢要素を更に含み、その結果、前記弾性の付勢要素が前記第１の位置に向かって戻るように前記パネルを付勢する、請求項４に記載の装置。
【請求項７】
前記同期移動機構は双安定のばね構成を含み、前記ばね構成は、解除状態あるいはデッドロック状態のどちらかを想定して前記同期移動機構を付勢し、前記双安定のばね構成は中間はね上げ点を有し、前記パネルが閉鎖位置に達するまで、前記同期移動機構は中間はね上げ点を超えてパネルの前記閉鎖運動中に移動するように構成されてなる、請求項１に記載の装置。
【請求項８】
前記同期移動機構は、前記閉鎖運動の終端部分の間、前記パネルと前記ストライクジャムの相対運動によって移動するように配置されたレバーを含む、請求項１に記載の装置。
【請求項９】
前記同期移動機構は、前記閉鎖運動の終端部分中に前記パネルおよび前記ストライクジャムの相対運動によって移動するように前記レバーに機械的に関連付けられた駆動リンクをさらに含み、前記駆動リンクの移動の第１の範囲は、前記ロック位置へ前記ロック要素を移動させ、前記第１の範囲を超える前記駆動リンクのさらなる移動は、前記デッドロック状態を達成する、請求項１に記載の装置。
【請求項１０】
前記駆動リンクは駆動アームを含み、駆動アームおよびレバーが両方とも枢動自在にマウントされ、レバーおよび駆動アームは一方向のリンク機構を介して機械的にリンクされ、その結果、前記駆閉鎖運動によって引き起こされた前記駆第１の方向への前記駆レバーの枢動は、前記駆駆動アームの対応する回転を生成し、その一方で前記駆レバーの逆転運動が前記駆駆動アームの運動なしに生じ得る、請求項９に記載の装置。
【請求項１１】
前記駆動アームはロック要素の接触面と係合するために配置される駆動面を有し、前記駆駆動アームが枢動するとき、前記ロック位置へロック要素を移動させるように、前記駆駆動面は接触面に支持する、請求項１０に記載の装置。
【請求項１２】
前記駆動面と接触面は、締切りを有する接触プロフィールを定義するように構成され、当該締切りを越える駆動アームのさらなる枢動は、ロック要素のさらなる運動なしに生じ、前記デッドロック状態を達成する、請求項１１に記載の装置。
【請求項１３】
前記接触面は角で終了する平滑な部分を有し、前記角は前記締切りを定義する、請求項１２に記載の装置。
【請求項１４】
前記駆動リンクは、駆動アームに機械的にリンクされた解除機構をさらに含み、その結果、前記解除機構の動作は、デッドロック状態を解除するために駆動アームを移動させるのに有効である、請求項１０に記載の装置。
【請求項１５】
駆動アームはロック要素の追加の接触面との接触のために配置された追加の駆動表面を有し、その結果、駆動アームの逆転回転運動は前記解除状態へと前記ロック要素を移動するのに有効である、請求項１４に記載の装置。
【請求項１６】
前記駆動表面および前記駆動アームの前記追加の駆動表面は、前記駆動アームの突起の表面によって提供され、接触面および追加の接触面はロック要素の形成されたスロットのエッジによって提供され、前記突起は前記形成されたスロット内に係合される、請求項１５に記載の装置。
【請求項１７】
解除機構は、一方向のリンク機構を介して駆動アームに機械的にリンクされ、解除機構の動作がデッドロック状態を解除する駆動ムを移動するのに有効であり、その一方で、前記解除機構の逆転運動が駆動アームの運動なしに生じ得る、請求項１４に記載の装置。
【請求項１８】
前記レバー、前記駆動アームおよび前記解除機構はすべて、共通のピボット軸の回りを枢動できるように枢動自在にマウントされる、請求項１７に記載の装置。
【請求項１９】
前記ロック要素はロック要素軸の回りを枢動できるように枢動自在にマウントされ、前記ロック要素軸は前記共通のピボット軸と平行である、請求項１８に記載の装置。
【請求項２０】
前記解除機構は、前記共通のピボット軸から放射状に突出する複数の前記入力アームをさらに含み、前記入力アームの各々は、対応する手作業あるいは電気的に動作されたロック解除器に関連づけられ、前記ロック解除器は、前記解除機構を動作するように対応する前記入力アームを移動するために配置される、請求項１８に記載の装置。
【請求項２１】
前記駆動リンクは、前記駆動アームと前記ロック要素に枢動自在に相互連結された結合リンクをさらに含み、前記駆動アームおよび前記結合リンクは、前記デッドロック状態でオーバセンタロックする構成を想定する、請求項１０に記載の装置。
【請求項２２】
前記同期移動機構が、
（ａ）閉鎖位置に達する前記パネルに先立って前記ストライクジャムに対する前記パネルの相対位置を感知するために配置された少なくとも１つのセンサーを含むセンサー配列と、
（ｂ）ロック要素に関連づけられ、ロック位置とロック解除位置の間で前記ロック要素を選択的に移動するために構成された電気的に制御可能な駆動器と、
（ｃ）センサー配列および電気的に制御可能な駆動器に関連づけられた制御装置であって、当該制御装置は、前記閉鎖位置へ開放位置から前記パネルの前記閉鎖運動の少なくとも一部を感知するのに応答し、パネルが閉鎖位置に達するのに先立って前記パネルの前記閉鎖中に前記ロック位置へ前記ロック要素の運動を始める、制御装置と、
を含んでなる、請求項１に記載の装置。
【請求項２３】
装置であって、
（ａ）ストライクジャムによって一方の側で境界をつけられた開口と、
（ｂ）開口を開放しておくストライクジャムから分離された開放位置と、当該パネルが開口の少なくとも一部を閉じる閉鎖位置の間で移動自在に開口にマウントされたパネルと、
（ｃ）前記ストライクジャム又は前記パネルに関連付けられたロック要素であって、かつ、ロック要素はロック位置とロック解除位置の間を移動自在のロック要素であって、前記ロック位置において、前記ロック要素が前記パネルの表面と、前記ストライクジャムの間に介在され、前記開放位置に向かって対向するようにされ、前記パネルを前記ストライクジャムにロックし、前記閉鎖位置において前記ロック要素が前記パネルの開放位置への運動を妨害しないように位置付けられてなる、ロック要素と、
（ｄ）前記ロック要素に関連づけられ、前記閉鎖位置に向かって開放位置からパネルの閉鎖運動の少なくとも一部に応答し、前記パネルが前記閉鎖位置に達するのに先立って前記パネルの前記閉鎖運動中、前記ロック位置に向かって前記ロック要素の各々の運動を始め、前記同期移動機構は、一方向のリンクを介して前記ロック要素の各々に機械的にリンクされた解除機構と、
をさらに含み、前記解除機構の動作が前記ロック位置から前記ロック解除位置へ複数のロック要素をすべて移動するのに有効で、その一方で、前記ロック位置から前記ロック解除位置へのロック要素のうちの１つの直接の移動が、複数のロック要素の他のものをロック位置から遠ざけて移動しない、同期移動機構を含んでなる、
ことを特徴とする装置。
【請求項２４】
装置であって、
（ａ）ストライクジャムによって一方の側で境界をつけられた開口と、
（ｂ）パネルであって、当該パネルが前記開口を開いたままにするために前記ストライクジャムから分離される開放位置と、当該パネルが前記開口の少なくとも一部を閉鎖する閉鎖位置との間で、前記開口に対して移動自在にマウントされたパネルと、
（ｃ）前記ストライクジャム又は前記パネルに関連付けられたロック要素であって、かつ、ロック要素はロック位置とロック解除位置の間を移動自在のロック要素であって、前記ロック位置において、前記ロック要素が前記パネルの表面と、前記ストライクジャムの間に介在され、前記開放位置に向かって対向するようにされ、前記パネルを前記ストライクジャムにロックし、前記閉鎖位置において前記ロック要素が前記パネルの開放位置への運動を妨害しないように位置付けられてなる、ロック要素と、
（ｄ）前記ロック要素に関連づけられ、前記閉鎖位置に向かって開放位置からパネルの閉鎖運動の少なくとも一部に応答し、前記パネルが前記閉鎖位置に達するのに先立って前記パネルの前記閉鎖運動中、前記ロック位置に向かって前記ロック要素の各々の運動を始め、前記同期移動機構は、一方向のリンクを介して前記ロック要素の各々に機械的にリンクされた解除機構と、
をさらに含み、前記解除機構の動作が前記ロック位置から前記ロック解除位置へ複数のロック要素をすべて移動するのに有効で、その一方で、前記ロック位置から前記ロック解除位置へのロック要素のうちの１つの直接の移動が、複数のロック要素の他のものをロック位置から遠ざけて移動しない、同期移動機構を含んでなる、
ことを特徴とする装置。
【請求項２５】
少なくとも１つの要素は止め金具ラッチを含み、該止め金具ラッチは解除位置から固着位置へ選択的に配置可能であり、ここで止め金具ラッチが、前記ロック要素を前記ロック位置に固着し、それによって前記ロック要素の前記ロック解除位置への移動を排除する、請求項２４に記載の装置。
【請求項２６】
少なくとも１つの要素は少なくとも１つのスペーサ要素を含み、該スペーサ要素は、前記ロック要素が前記ロック位置にあるとき、前記開口に対する前記パネルの自由な運動を制限するために配置される、請求項２４に記載の装置。
【請求項２７】
装置であって、
（ａ）ストライクジャムによって一方の側で境界をつけられた開口と、
（ｂ）前記開口を開放しておく前記ストライクジャムから分離された開放位置と、当該パネルが開口の少なくとも一部を閉じる閉鎖位置の間で移動自在に開口にマウントされたパネルと、
（ｃ）前記開口を開放しておく前記ストライクジャムから分離された開放位置と、当該パネルが開口の少なくとも一部を閉じる閉鎖位置の間で移動自在に前記開口にマウントされたパネルと、
（ｄ）前記ロック要素に関連づけられ、ロック位置へのロック解除位置からの運動とともに複数の位置でロック要素と係合するように構成され、ロック解除位置への逆転運動を防止するラチェット構成と、
を含んでなる、
ことを特徴とする装置。
【請求項２８】
前記ロック要素は前記ロック位置に向かって付勢されたばねである、請求項２７に記載の装置。
【請求項２９】
前記ラチェット構成は前記ロック解除位置へ前記ロック要素の引っ込みを可能にするために選択的に解除可能である、請求項２７に記載の装置、
【請求項３０】
前記パネルの閉鎖中に、前記ラチェット構成の開放が前記ストライクジャムに対する前記パネルの相対運動によって駆動される、請求項２９に記載の装置。
【請求項３１】
前記ロック要素はピボット軸の回りを枢動可能な枢動可能な前記ロック要素である、請求項２７に記載の装置。
【請求項３２】
前記ラチェット構成は、ロック要素に一体化された複数の前記ラチェット歯と、前記ロック位置に向かう前記ロック要素の移動中に順次にラチェット歯と係合するようにばね付勢されたつめを含む、請求項２７に記載の装置。
【請求項３３】
前記ロック要素は前記ストライクジャムに関連付けられた、請求項１乃至３２のいずれか１つに記載の装置。
【請求項３４】
前記ロック要素は前記パネルに関連付けられた、請求項１乃至３２のいずれか１つに記載の装置。
【発明の詳細な説明】
【技術分野】
【０００１】
本発明はロックに関し、特に、ストライクジャム（ｓｔｒｉｋｅ  ｊａｍ）に対する閉鎖位置でパネルをロックするためのパネルロック構造体に関する。
【背景技術】
【０００２】
出願人の先の米国特許第９９７０２１４号（以下、'２１４特許パテント」）は、施錠機構を開示しており、パネルの閉鎖運動の終端部は、ロック位置へとロック要素を移動させるリンクを起動する。ロック要素の運動は、このようにパネルの閉鎖と同期し、パネルが全閉鎖位置に達する前に始まる。
【発明の概要】
【０００３】
本発明は、ストライクジャム対して閉鎖位置でパネルをロックするためのパネルロック組立体である。
【０００４】
本発明の実施形態の教示によれば、装置が提供され、該装置は、（ａ）ストライクジャムによって一方の側で境界をつけられた開口と、（ｂ）開口を開放しておくストライクジャムから分離された開放位置と、当該パネルが開口の少なくとも一部を閉じる閉鎖位置の間で移動自在に開口にマウントされたパネルと、（ｃ）ストライクジャムあるいはパネルに関連付けられたロック要素であって、当該ロック要素がパネルの表面間に介装され、対向するストライクジャムは開放位置へとパネルを移動するように付勢し、それによって当該ストライクジャムへとパネルをロックするロック位置と、開放位置へのパネルの運動を妨害しないようにロック要素が位置づけられるロック解除位置の間で移動可能なロック要素と、（ｄ）ロック要素に関連づけられ、前記パネルが閉鎖位置に達するのに先立って前記パネルの閉鎖運動の間にロック位置に向かって前記ロック要素の運動を開始する閉鎖位置への開放位置からのパネルの閉鎖運動の少なくとも一部に応答する同期移動機構であって、当該同期移動機構は、ロック要素がロック位置にあるときにデッドロック状態を有し、当該デッドロック状態は、ロック解除位置に向かうロック要素の移動を防止する同期移動機構と、を含む。
【０００５】
本発明の実施形態のさらなる特徴によれば、同期移動機構は閉鎖位置に達するパネルに先立ってパネルの閉鎖運動中にパネルおよびストライクジャムの表面間に介在された位置へとロック要素を移動するように構成される。
【０００６】
本発明の実施形態のさらなる特徴によれば、同期移動機構はパネルが閉鎖位置に達する場合以内のロック位置へのロック要素の変位を終了するように構成される。
【０００７】
本発明の実施形態のさらなる特徴によれば、同期移動機構はパネルの閉鎖運動中に第１の位置に達するときに、ロック位置へのロック要素の移動を終了するように構成され、同期移動機構のデッドロック状態へのさらなる運動が、第１の位置を越える閉鎖運動のさらなる部分の間に生じる。
【０００８】
本発明の実施形態のさらなる特徴によれば、移動可能なスペーサーがさらに提供され、同期移動機構は閉鎖運動のさらなる部分の間に移動可能なスペーサーを移動するようにさらに構成され、移動可能なスペーサーが、パネルが第１の位置へ戻るのを防止するためにパネルとストライクジャムの表面間に介在される。
【０００９】
本発明の実施形態のさらなる特徴によれば、弾力性の付勢要素がさらに提供され、当該付勢要素は、ストライクジャムあるいはパネルと関連づけられ、伸縮自在に閉鎖運動のさらなる部分によって変形されるように配置され、その結果、弾力性の付勢要素が第１の位置の方へ戻るようにパネルを付勢する。
【００１０】
本発明の実施形態のさらなる特徴によれば、同期移動機構は、解除状態あるいはデッドロック状態のいずれかを仮定するように同期移動機構に付勢する双安定のばね構成を含み、当該双安定のばね構成は中間はね上げ点を有し、前記同期移動機構は、パネルが閉鎖位置に達するときまで前記中間はね上げ点を越えてパネルの閉鎖運動中に移動するように構成されている。
【００１１】
本発明の実施形態のさらなる特徴によれば、同期移動機構は、閉鎖運動の終端部分の間でパネルおよびストライクジャムの相対運動によって移動されるように配置されたレバーを含む。
【００１２】
本発明の実施形態のさらなる特徴によれば、同期移動機構は、閉鎖運動の終端部分の間でパネルおよびストライクジャムの相対運動によって移動されるようにレバーと機械的に関連づけられた駆動リンクをさらに含み、駆動リンクの移動の第１の範囲は、ロック位置へとロック要素を移動し、第１の範囲を超える駆動リンクのさらなる移動は、デッドロック状態を達成する。
【００１３】
本発明の実施形態のさらなる特徴によれば、駆動リンクは駆動器アームを含み、駆動器アームおよびレバーは両方とも枢着され、レバーおよび駆動器アームは、一方向のリンクを介して機械的にリンクされ、その結果、閉鎖運動によって引き起こされた第１の方向へのレバーの回転は、駆動器・アームの対応する回転を生成し、その一方でレバーの逆転装置が駆動器アームの運動なしに生じ得る。
【００１４】
本発明の実施形態のさらなる特徴によれば、駆動器アームはロック要素の接触面と係合するために駆動器表面が配置され、その結果、駆動器アームが枢動すると、駆動器表面が接触面上で支持して、ロック位置へロック要素を移動する。
【００１５】
本発明の実施形態のさらなる特徴によれば、駆動器表面と接触面は、締切りを有する接触プロフィールを定義するように構成され、当該締切りを越える駆動器アームのさらなる回転は、ロック要素のさらなる運動なしに生じ、デッドロック状態を達成する。
【００１６】
本発明の実施形態のさらなる特徴によれば、接触面は角で終了する平滑な部分を有し、この角が締切りを定義する。
【００１７】
本発明の実施形態のさらなる特徴によれば、駆動リンクは、駆動器アームに機械的にリンクされた解除機構をさらに含み、その結果、解除機構の動作は、デッドロック状態を解除するために駆動器アームを移動させるのに有効である。
【００１８】
本発明の実施形態のさらなる特徴によれば、駆動器アームはロック要素の補足の接触面との接触のために配置された補足の駆動表面を有し、駆動器アームの逆転回転運動はロック解除状態へとロック要素を移動するのに有効である。
【００１９】
本発明の実施形態のさらなる特徴によれば、駆動表面および駆動器アームの補足の駆動表面は、駆動器アームの突起の表面によって提供され、接触面および補足の接触面はロック要素の形成されたスロットのエッジによって提供され、前記突起は形成されたスロット内に係合される。
【００２０】
本発明の実施形態のさらなる特徴によれば、解除機構は、一方向のリンクを介して駆動器アームに機械的にリンクされ、解除機構の動作がデッドロック状態を解除する駆動器アームを移動するのに有効であり、その一方で、解除機構の逆転運動が駆動器アームの運動なしに生じ得る。
【００２１】
本発明の実施形態のさらなる特徴によれば、レバー、駆動器アームおよび解除機構は、すべて、共通のピボット軸の周りを回転可能にマウントされる。
【００２２】
本発明の実施形態のさらなる特徴によれば、ロック要素はロック要素軸の周りを回転可能にマウントされ、ロック要素は共通のピボット軸に平行である。
【００２３】
本発明の実施形態のさらなる特徴によれば、解除機構は、共通のピボット軸（解除機構を動作するように、対応する入力アームを移動するために配置された、対応する手動であるいは電気的に動作されたロック解除器に関連づけられた入力アームの各々）から放射状に突き出る複数の入力アームをさらに含む。
【００２４】
本発明の実施形態のさらなる特徴によれば、駆動リンクは、駆動器アームと、ロック要素とが枢動自在に相互連結された結合リンクをさらに含み、駆動器アームおよび結合リンクは、デッドロック状態でオーバセンタロックする構成を想定する。
【００２５】
本発明の実施形態のさらなる特徴によれば、同期移動機構は次のものを含む：（ａ）閉鎖位置に達するパネルに先立ってトライクジャムに対するパネルの相対的位置を感知するように配置された少なくとも１つのセンサーを含むセンサー配列；（ｂ）ロック要素に関連づけられ、ロック位置とロック解除位置の間でロック要素を選択的に移動するために構成された電気的に制御可能な駆動器；及び（ｃ）センサー配列および電気的に制御可能な駆動器に関連づけられた制御装置であって、当該制御装置は、閉鎖位置に向かって開放位置からパネルの閉鎖運動の少なくとも一部を検知するのに応答し、パネルが閉鎖位置に達するのに先立ってパネルの閉鎖運動の間にロック位置へとロック要素の運動を開始する、制御装置、を含む。
【００２６】
さらに、本発明の実施形態の教示に従って、次の装置が提供され、当該装置は、（ａ）ストライクジャムによって一方の側で境界をつけられた開口と、（ｂ）開口を開放しておくストライクジャムから分離された開放位置と、当該パネルが開口の少なくとも一部を閉じる閉鎖位置の間で移動自在に開口にマウントされたパネルと、（ｃ）ストライクジャムあるいはパネルに関連づけられた複数のロック要素であって、ロック要素の各々は、ロック要素がパネルの表面間に介在されるロック位置と、開放位置へとパネルを移動するように向けられた力に対向するストライクジャムとの間で移動可能であり、それによってパネルをストライクジャムと、開放位置へのパネルの運動を防止しないようにロック要素が位置づけられるロック解除位置にロックする、ロック要素；（ｄ）ロック要素に関連づけられ、閉鎖位置に向かって開放位置からパネルの閉鎖運動少なくとも一部に応答し、パネルが閉鎖位置に達するに先立ってパネルの閉鎖の間にロック位置に向かってロック要素の各々の運動を開始する同期移動機構であって、同期移動機構は、一方向のリンクを介してロック要素の各々に機械的にリンクされた解除機構をさらに含み、解除機構の動作がロック位置からロック解除位置へ複数のロック要素をすべて移動するのに有効で、その一方で、ロック位置からロック解除位置へのロック要素のうちの１つの直接の移動が、複数のロック要素の他のものをロック位置から遠ざけて移動しない、同期移動機構を含む。
【００２７】
さらに、本発明の実施形態の教示に従って、次の装置が提供され、当該装置は、（ａ）ストライクジャムによって一方の側で境界をつけられた開口と、（ｂ）開口に対してマウントされたパネルであって、パネルがストライクジャムから分離され、少なくとも開口の一部を残した開放位置と、前記パネルが開口の少なくとも一部を閉鎖する閉鎖位置の間で移動自在であるパネルと、（ｃ）ストライクジャムあるいはパネルに関連づけられたロック要素であって、ロック要素がパネルあるいはストライクジャムの接触面によって係合され前記開放位置へとパネルを移動するように向ける力に対向する、当接面を提供するように位置づけられ、それによって、ストライクジャムにパネルをロックするロック位置と、ロック解除位置にし、当該ロック要素が、パネルの開放位置への運動を防止しないように位置付けられたロック解除位置、との間で移動自在であるロック要素と、（ｄ）ロック要素に関連づけられ、前記パネルが閉鎖位置に達するのに先立って前記パネルの閉鎖運動の間にロック位置に向かって前記ロック要素の運動を開始する閉鎖位置への開放位置からのパネルの閉鎖運動の少なくとも一部に応答する同期移動機構であって、前記同期機構は前記ロック要素を係合位置へともたらすように構成され、前記ロック要素はパネルが閉鎖位置に先立って第１の中間位置に達するときに、ストライクジャムにパネルをロックするのに有効であり、前記同期移動機構はロック要素以外に少なくとも１つの要素の移動を生成するように第１の中間位置を超えるパネルのさらなる移動に応答する、同期移動機構を含む。
【００２８】
本発明の実施形態のさらなる特徴によれば、少なくとも１つの要素は解除位置から固定位置まで選択的に配置可能なストップラッチを含み、止め金具ラッチが、ロック要素をロック位置に固定し、前記ロック要素をロック解除位置にロックし、それによってロック要素のロック解除位置への移動を排除する。
【００２９】
本発明の実施形態のさらなる特徴によれば、少なくとも１つの要素は、ロック要素がロック位置にあるときに、前記開口に対してパネルの自由な運動を限定するために配置された少なくとも１つのスペーサー要素を含む。
【００３０】
さらに、本発明の実施形態の教示に従って、次の装置が提供され、当該装置は、（ａ）ストライクジャムによって一方の側で境界をつけられた開口と、（ｂ）開口を開放しておくストライクジャムから分離された開放位置と、当該パネルが開口の少なくとも一部を閉じる閉鎖位置の間で移動自在に開口にマウントされたパネルと、（ｃ）ストライクジャムあるいはパネルに関連付けられたロック要素であって、当該ロック要素がパネルの表面間に介装され、対向するストライクジャムは開放位置へとパネルを移動するように付勢し、それによって当該ストライクジャムへとパネルをロックするロック位置と、開放位置へのパネルの運動を妨害しないようにロック要素が位置づけられるロック解除位置の間で移動可能なロック要素と、（ｄ）ロック要素に関連づけられ、ロック位置へのロック解除位置ポジションからの運動とともに複数の位置でロック要素と係合するように構成され、ロック解除位置への逆転運動を防止するラチェット構成、を含む。
【００３１】
本発明の実施形態のさらなる特徴によれば、ロック要素はロック位置の方にばね付勢される。
【００３２】
本発明の実施形態のさらなる特徴によれば、ラチェット構成はロック解除位置へのロック要素の引っ込みを可能にするのに選択的に解除可能である。
【００３３】
本発明の実施形態のさらなる特徴によれば、ラチェット構成の解除は、パネルの閉鎖のあいだストライクジャムに対するパネルの相対運動によって駆動される。
【００３４】
本発明の実施形態のさらなる特徴によれば、ロック要素はピボット軸の周りを枢動し得る枢動自在なロック要素である。
【００３５】
本発明の実施形態のさらなる特徴によれば、ラチェット構成は、ロック要素と一体化された複数のラチェット歯、およびばね付勢されたつめを含み、当該つめはロック位置へロック要素の移動中に順次にラチェット歯と係合するように付勢される。
【００３６】
本発明の実施形態のさらなる特徴によれば、ロック要素はストライクジャムに関連づけられる。本発明の実施形態の代替の特徴によれば、ロック要素はパネルに関連づけられる。
【図面の簡単な説明】
【００３７】
添付図面を参照しつつ本発明を説明したが、あくまでも一例にすぎない。
【図１Ａ】図１Ａは、開口内にパネルをロックし、解除するために本発明の実施形態にしたがって、構築され、動作するパネルロック組立体の概略正面図である；
【図１Ｂ】図１Ｂは、図１Ａの部分切欠き等角図であって、複数のロック構成を含むパネルロック組立体の部品を示す部分切欠き図である；
【図１Ｃ】図１Ｃは、図１Ａの部分切欠き図であって、複数のロック構成を含むパネルロック組立体の部品を示す部分切欠き図である；
【図２】図２は、図１Ａの装置からロック構成の拡大等角図である；
【図３Ａ】図３Ａは、パネルの閉鎖運動中に図２のロック構成を介して切り取られた水平方向断面図の配列である；
【図３Ｂ】図３Ｂは、パネルの閉鎖運動中に図２のロック構成を介して切り取られた水平方向断面図の配列である；
【図３Ｃ】図３Ｃは、パネルの閉鎖運動中に図２のロック構成を介して切り取られた水平方向断面図の配列である；
【図３Ｄ】図３Ｄは、パネルの閉鎖運動中に図２のロック構成を介して切り取られた水平方向断面図の配列である；
【図３Ｅ】図３Ｅは、パネルの閉鎖運動中に図２のロック構成を介して切り取られた水平方向断面図の配列である；
【図３Ｆ】図３Ｆは、パネルの閉鎖運動中に図２のロック構成を介して切り取られた水平方向断面図の配列である；
【図３Ｇ】図３Ｇは、パネルの閉鎖運動中に図２のロック構成を介して切り取られた水平方向断面視図の配列である；
【図４Ａ】図４Ａは、パネルのロック解除の間の図２のロック個性を介して切り取られた水平方向断面図の配列である；
【図４Ｂ】図４Ｂは、パネルのロック解除の間の図２のロック個性を介して切り取られた水平方向断面図の配列である；
【図４Ｃ】図４Ｃは、パネルのロック解除の間の図２のロック個性を介して切り取られた水平方向断面図の配列である；
【図４Ｄ】図４Ｄは、パネルのロック解除の間の図２のロック個性を介して切り取られた水平方向断面図の配列である；
【図４Ｅ】図４Ｅは、パネルのロック解除の間の図２のロック個性を介して切り取られた水平方向断面図の配列である；
【図５Ａ】図５Ａは、パネルの閉鎖運動中の移動可能なスペーサーとロック要素の対応する位置を示す図２のロック構成の変更例を介して２つの高さで切り取られた水平方向断面図の対の配列である；
【図５Ｂ】図５Ｂは、パネルの閉鎖運動中の移動可能なスペーサーとロック要素の対応する位置を示す図２のロック構成の変更例を介して２つの高さで切り取られた水平方向断面図の対の配列である；
【図５Ｃ】図５Ｃは、パネルの閉鎖運動中の移動可能なスペーサーとロック要素の対応する位置を示す図２のロック構成の変更例を介して２つの高さで切り取られた水平方向断面図の対の配列である；
【図５Ｄ】図５Ｄは、パネルの閉鎖運動中の移動可能なスペーサーとロック要素の対応する位置を示す図２のロック構成の変更例を介して２つの高さで切り取られた水平方向断面図の対の配列である；
【図５Ｅ】図５Ｅは、パネルの閉鎖運動中の移動可能なスペーサーとロック要素の対応する位置を示す図２のロック構成の変更例を介して２つの高さで切り取られた水平方向断面図の対の配列である；
【図５Ｆ】図５Ｆは、パネルの閉鎖運動中の移動可能なスペーサーとロック要素の対応する位置を示す図２のロック構成の変更例を介して２つの高さで切り取られた水平方向断面図の対の配列である；
【図６Ａ】図６Ａは、パネルのロック解除の間の図５Ａ−５Ｆに似た一連の対の図である；
【図６Ｂ】図６Ｂは、パネルのロック解除の間の図５Ａ−５Ｆに似た一連の対の図である；
【図６Ｃ】図６Ｃは、パネルのロック解除の間の図５Ａ−５Ｆに似た一連の対の図である；
【図６Ｄ】図６Ｄは、パネルのロック解除の間の図５Ａ−５Ｆに似た一連の対の図である；
【図６Ｅ】図６Ｅは、パネルのロック解除の間の図５Ａ−５Ｆに似た一連の対の図である；
【図７Ａ】図７Ａは、第１の状態の双安定のばね構成を例証する図３Ａに似た水平方向断面図である；
【図７Ｂ】図７Ｂは、第２の状態の双安定のばね構成を例証する図３Ａに似た水平方向断面図である；
【図８Ａ】図８Ａは、実施可能状態での動力駆動器を示す図１Ａの装置か解除機構の等角図である；
【図８Ｂ】図８Ｂは、実施不能状態での動力駆動器を示す図１Ａの装置の解除機構の等角図である；
【図８Ｃ】図８Ｃは、実施可能状態に対応する位置の図８Ａの偏心調整機構の拡大等角図である；
【図８Ｄ】図８Ｄは、実施不能状態に対応する位置の図８Ｂの偏心調整機構の拡大等角図である；
【図８Ｅ】図８Ｅは、装置のストライクジャムに対する手動ハンドルの動作を例証する図８Ａに似た等角図である；
【図８Ｆ】図８Ｆは、装置のストライクジャムに対する手動ハンドルの動作を例証する図８Ａに似た等角図である；
【図９】図９は、装置のパネル上にマウントされた手動ハンドルの動作を例証する解除機構の別の部分の等角図である；
【図１０】図１０は、装置のストライクジャム上にマウントされたキー操作シリンダーの動作を例証する解除機構の別の部分の等角図である；
【図１１Ａ】図１１Ａは、パネルの閉鎖中のステージを例証する図１Ａの装置の代替例を介して切り取られた水平方向断面図の配列である；
【図１１Ｂ】図１１Ｂは、パネルの閉鎖運動中のステージを例証する図１Ａの装置の代替例を介して切り取られた水平方向断面図の配列である；
【図１１Ｃ】図１１Ｃは、パネルの閉鎖運動中のステージを例証する図１Ａの装置の代替例を介して切り取られた水平方向断面図の配列である；
【図１１Ｄ】図１１Ｄは、パネルの閉鎖運動中のステージを例証する図１Ａの装置の代替例を介して切り取られた水平方向断面図の配列である；
【図１１Ｅ】図１１Ｅは、パネルの閉鎖運動中のステージを例証する図１Ａの装置の代替例を介して切り取られた水平方向断面図の配列である；
【図１２Ａ】図１２Ａは、パネルの閉鎖運動中に装置のパネルに一体化された図２のロック構成に似ているロック構成を介して切り取られた水平方向断面視の配列である；
【図１２Ｂ】図１２Ｂは、パネルの閉鎖運動中に装置のパネルに一体化された図２のロック構成に似ているロック構成を介して切り取られた水平方向断面視の配列である；
【図１２Ｃ】図１２Ｃは、パネルの閉鎖運動中に装置のパネルに一体化された図２のロック構成に似ているロック構成を介して切り取られた水平方向断面視の配列である；
【図１２Ｄ】図１２Ｄは、パネルの閉鎖運動中に装置のパネルに一体化された図２のロック構成に似ているロック構成を介して切り取られた水平方向断面視の配列である；
【図１２Ｅ】図１２Ｅは、パネルの閉鎖運動中に装置のパネルに一体化された図２のロック構成に似ているロック構成を介して切り取られた水平方向断面視の配列である；
【図１３Ａ】図１３Ａは、パネルのロック解除の間の図１２Ａ−１２Ｆに似た図の配列である；
【図１３Ｂ】図１３Ｂは、パネルのロック解除の間の図１２Ａ−１２Ｆに似た図の配列である；
【図１３Ｃ】図１３Ｃは、パネルのロック解除の間の図１２Ａ−１２Ｆに似た図の配列である；
【図１３Ｄ】図１３Ｄは、パネルのロック解除の間の図１２Ａ−１２Ｆに似た図の順番である；
【図１４Ａ】図１４Ａは、パネルの閉鎖運動中に、ラチェットに基づいたデッドロックを使用する図１Ａの装置のロック構成の代替例が切り取られた水平方向断面図の配列である；
【図１４Ｂ】図１４Ｂは、パネルの閉鎖運動中に、ラチェットに基づいたデッドロックを使用する図１Ａの装置のロック構成の代替例が切り取られた水平方向断面図の配列である；
【図１４Ｃ】図１４Ｃは、パネルの閉鎖運動中に、ラチェットに基づいたデッドロックを使用する図１Ａの装置のロック構成の代替例が切り取られた水平方向断面図の配列である；
【図１４Ｄ】図１４Ｄは、パネルのロック解除の間の図１４Ａ−１４Ｃに似た図の配列である；
【図１４Ｅ】図１４Ｅは、パネルのロック解除の間の図１４Ａ−１４Ｃに似た図の配列である；
【図１５Ａ】図１５Ａは、パネルのロック解除と開放の間の本発明のさらなる態様による代替ラチェットに基づいたロック機構が切り取られた水平方向断面図の配列である；
【図１５Ｂ】図１５Ｂは、パネルのロック解除と開放の間の本発明のさらなる態様による代替ラチェットに基づいたロック機構が切り取られた水平方向断面図の配列である；
【図１５Ｃ】図１５Ｃは、パネルのロック解除と開放の間の本発明のさらなる態様による代替ラチェットに基づいたロック機構が切り取られた水平方向断面図の配列である；
【図１５Ｄ】図１５Ｄは、パネルのロック解除と開放の間の本発明のさらなる態様による代替ラチェットに基づいたロック機構が切り取られた水平方向断面図の配列である；
【図１５Ｅ】図１５Ｅは、パネルのロック解除と開放の間の本発明のさらなる態様による代替ラチェットに基づいたロック機構が切り取られた水平方向断面図の配列である；
【図１５Ｆ】図１５Ｆは、パネルのロック解除と開放の間の本発明のさらなる態様による代替ラチェットに基づいたロック機構が切り取られた水平方向断面図の配列である；
【図１５Ｇ】図１５Ｇは、パネルのロック解除と開放の間の本発明のさらなる態様による代替ラチェットに基づいたロック機構が切り取られた水平方向断面図の配列である；
【図１５Ｈ】図１５Ｈは、パネルのロック解除と開放の間の本発明のさらなる態様による代替ラチェットに基づいたロック機構が切り取られた水平方向断面図の配列である；
【図１５Ｉ】図１５Ｉは、パネルのロック解除と開放の間の本発明のさらなる態様による代替ラチェットに基づいたロック機構が切り取られた水平方向断面図の配列である；
【図１５Ｊ】図１５Ｊは、パネルのロック解除と開放の間の本発明のさらなる態様による代替ラチェットに基づいたロック機構が切り取られた水平方向断面図の配列である；
【図１５Ｋ】図１５Ｋは、パネルのロック解除と開放の間の本発明のさらなる態様による代替ラチェットに基づいたロック機構が切り取られた水平方向断面図の配列である；
【図１５Ｌ】図１５Ｌは、パネルのロック解除と開放の間の本発明のさらなる態様による代替ラチェットに基づいたロック機構が切り取られた水平方向断面図の配列である；
【図１６Ａ】図１６Ａは、パネルの閉鎖運動の一部を例証する図１５Ａ−１５Ｌに似た図である；
【図１６Ｂ】図１６Ｂは、パネルの閉鎖運動の一部を例証する図１５Ａ−１５Ｌに似た図である；
【図１６Ｃ】図１６Ｃは、パネルの閉鎖運動の一部を例証する図１５Ａ−１５Ｌに似た図である；
【図１６Ｄ】図１６ＤＡは、パネルの閉鎖運動の一部を例証する図１５Ａ−１５Ｌに似た図である；
【図１７】図１７は、図１５Ａのラチェットに基づいたロック機構の等角図である；
【図１８Ａ】図１８Ａは、実施可能状態で示された空間的に同期したロックを例証する図２のロック構成の変更例の等角図である；
【図１８Ｂ】図１８Ｂは、実施可能状態で示された空間的に同期したロックを例証する図２のロック構成の変更例の等角図である；
【図１９Ａ】図１９Ａは、実施可能状態で図１８Ａのロック構成を介してより高い高さで切り取られた水平方向断面図である；
【図１９Ｂ】図１９Ｂは、実施可能状態で図１８Ａのロック構成を介してより低い高さに切り取られた水平方向断面図である；
【図１９Ｃ】図１９Ｃは、実施不能状態で図１８Ａのロック構成を介してより高い高さ切り取られた水平方向断面図である；
【図１９Ｄ】図１９Ｄは、実施不能状態で図１８Ａのロック構成を介してより低い高さ切り取られた水平方向断面図である；
【図１９Ｅ】図１９Ｅはロック解除されたロック機構を例証する図１９Ｃに似た図である；
【図１９Ｆ】図１９Ｆは開放されたパネルを例証する図１９Ｃに似た図である；
【図２０Ａ】図２０Ａは、実施可能状態の伸縮自在の保持配列の状態を例証する図１８Ａのロック構成の等角図である；
【図２０Ｂ】図２０Ｂは、実施不能状態の伸縮自在の保持配列の状態を例証する図１８Ａのロック構成の等角法である；
【図２０Ｃ】図２０Ｃは図２０Ａに対応する平面図である；
【図２０Ｄ】図２０Ｄは図２０Ｂに対応する平面図である；
【図２１Ａ】図２１Ａは、実施可能状態で示された空間的に同期されたロックを不能にする機構を例証する図２のロック構成の代替の変更例の第１の等角図である；
【図２１Ｂ】図２１Ｂは、実施可能状態で示された空間的に同期されたロックを不能にする機構を例証する図２のロック構成の代替の変更例の第１の等角図である；
【図２１Ｃ】図２１Ｃは、実施可能状態で示された空間的に同期されたロックを不能にする機構を例証する図２のロック構成の代替の変更例の平面図である；
【図２２Ａ】図２２Ａは、実施不能状態で示される図２１Ａに似た図である；
【図２２Ｂ】図２２Ｂは、実施不能状態で示される図２１Ｂに似た図である；
【図２２Ｃ】図２２Ｃは、実施不能状態で示される図２１Ｃに似た図である；
【図２３Ａ】図２３Ａはロック機構を解除した図２２Ａに似た図である；
【図２３Ｂ】図２３Ｂはロック機構を解除した図２２Ｃに似た図である；
【図２４】図２４は、当該機構をロック解除するために緊急解除レバーが提供された図２のロック構成の変更例を例証する等角図である；
【図２５Ａ】図２５Ａは、緊急解除レバーの作業順序を例証する図２４の構成の一連の平面図である。
【図２５Ｂ】図２５Ｂは、緊急解除レバーの作業順序を例証する図２４の構成の一連の平面図である
【図２５Ｃ】図２５Ｃは、緊急解除レバーの作業順序を例証する図２４の構成の一連の平面図である。
【図２５Ｄ】図２５Ｄは、緊急解除レバーの作業順序を例証する図２４の構成の一連の平面図である。
【図２５Ｅ】図２５Ｅは、緊急解除レバーの作業順序を例証する図２４の構成の一連の平面図である。
【図２５Ｆ】図２５Ｆは、緊急解除レバーの作業順序を例証する図２４の構成の一連の平面図である。
【図２５Ｇ】図２５Ｇは、緊急解除レバーの作業順序を例証する図２４の構成の一連の平面図である。
【図２５Ｈ】図２５Ｈは、緊急解除レバーの作業順序を例証する図２４の構成の一連の平面図である。
【発明を実施するための形態】
【００３８】
本発明は、ストライクジャムに対して閉鎖位置でパネルをロックするためのパネルロック組立体である。本発明によるパネルロック組立体の種々の態様を組込んだ装置の原理および動作は、図面および添付の明細書を参照してよりよく理解され得る。
【００３９】
＜概観＞
本発明は多くの異なる態様を含んでおり、各々は、それ自体が優れていて特許されうると考えられ、様々な限定しない種々の組み合わせで本明細書に示されるだろう。本発明の特定の態様はロック機構の同期動作に関するもので、ロック機構の１つ以上の部分の動作がパネルの閉鎖運動と、好適には空間で、同期され、当該動作は構成要素の移動を含んでおり、当該移動はばね付勢ではなく閉鎖運動と同期している。本発明の追加の態様は、そのようなロック組立体の様々な特徴および半組立部品に関し、例えば、多数の独立したロック要素の提供に関し、当該ロック要素はロック解除され得るのが中心で、選択的に特定のロック機能を不能にする機構であり得る。本発明のさらなる態様は、ラチェットに基づいたデッドロック（あるいは「デッドボルト」）配列に関し、ロック要素の位置の配列はロック運動中に連続的に固定され、「デッドロックされ」）、それによって、ロック要素の全係合が達成される前でも、パネルの解除を防止する。これらの態様の各々は独立して特許され得ると考えられ、本発明の特定の他の態様の文脈で記載される。
【００４０】
ここで図面を参照すると、図１Ａは装置１００の概略の概観であり、どれが開始を含むかは、ストライクジャム１０２によって一方の側に境界をつけられた開口と、該開口に対してマウントされたパネル１０４とを含み、前記開口を開放しておくストライクジャムから前記パネルが分離される開放位置と、前記パネル１０４が前記開口の少なくとも一部を閉鎖する閉鎖位置、との間で移動自在である。本明細書に例証された、限定しない典型的な実施形態では、パネル１０４は、開放位置と閉鎖位置の間のヒンジ１０６の周りのスイング運動を介して移動するヒンジでマウントされたパネルとして例証される。しかしながら、明示的に他の方法で述べたことを除いて、本発明の原理および教示はパネルに適用可能であり、当該パネルは例えば引戸などの開放運動の他の形態を行う。本明細書に開示された様々な構造への必要な変更は、特定の用途にしたがって当業者に明らかであろう。
【００４１】
装置１００は、さらにストライクジャム１０２あるいはパネル１０４に関連付けられ、ロック位置と、ロック解除位置の間で移動自在のロック要素１０８を含んでおり、ロック位置においてロック要素は前記パネルと前記ストライクジャムの間に介在され、開放位置へとパネルを移動するように向けられる力に対向し、それによってストライクジャムにパネルをロックし、前記ロック解除位置において前記ロック要素は開放位置へのパネル１０４の運動を防止するように位置づけられる。
【００４２】
＜デッドロック機能を備えた空間的な同期ロック機構＞
本発明の第１の態様によれば、装置は、さらにロック要素１０８に関連づけられた同期移動機構を含んでおり、少なくとも閉鎖位置に達するパネルに先立ってパネルの閉鎖運動中にロック位置にロック要素１０８をロックする運動を始めるために閉鎖位置に向かう開放位置からのパネル１０４の閉鎖運動の一部に応答する。ロック要素がロック位置にあるとき、同期移動機構は好適に「デッドロック状態」を有しており、当該デッドロック状態は、ロック解除位置に向かうロック要素の移動を防止する同期移動機構と、を含む。
【００４３】
同期移動機構は、以下に詳細に述べられる、限定しない実施例の様々な異なる形態で実行され得、
閉鎖位置に達するパネルに先立ってパネルの閉鎖運動中に係合位置へロック要素を移動するように好適に構成される。「係合位置」は、パネルとストライクジャムの表面間に介在されたロック要素の位置として本明細書において定義され、パネルの開放運動の間にロック要素がストライクジャムとパネルの両方と機械的に相互に動作する。最も好ましくは、係合位置はまたストライクジャムへのパネルのロックを達成するのに有効であり、ストライクジャムからパネルを移動するために適用される力は、パネルとストライクジャムの対向する表面の間で閉じ込められたロック要素によって妨害される。ロック要素は、ロック位置、好ましくはまた、ロック位置に向かって前述の中間係合位置から如何なる位置において、ロック要素が、パネルとストライクジャムの間で幾何学的ロック、あるいは摩擦ロックを、ロックを達成するためにロック要素を適所に保持する如何なる付加機構を必要とすることなく達するように構成されることが好ましい。
【００４４】
特定の好ましい場合において、同期移動機構は、パネルが閉鎖位置に達するときまでにロック位置へのロック要素の移動を完結するように構成される。いくつかの場合において、同期移動機構は、パネルがパネルの閉鎖運動中に第１の位置に達するときに、ロック位置へのロック要素の移動を完結するように構成され、その後、デッドロック状態への同期移動機構の更なる運動が、この第１の位置を越えた閉鎖位置の更なる部分の間で生じる。この機能性を例証する実施の様々な例は、図３Ａ−７Ｂを参照して以下に述べられる。
【００４５】
本発明のこの態様の実施の限定しない一例は、図１Ｂ−１Ｄについての部分切り欠き図により本明細書において例証され、当該切り欠き図は、各々対応するロック要素１０８を動作する、多くのロック構成１１０を明らかにする。これらのロック構成１１０の１つは図２の拡大図で例証され、パネルの閉鎖およびロックの間については、図３Ａ−３Ｇの各図で、パネルのロック解除と開放の間については、図４Ａ−４Ｅの各図で、異なる配列の水平方向の断面で示される。
【００４６】
図２および図３Ａ−４Ｅで示されるように、本明細書で例証されるような同期移動機構は、ロック構成１１０の一部としてのレバー１１２と、駆動リンクを含んでおり、前記レバーは、閉鎖運動の終端部分の間にパネルとストライクジャムの相対運動によって移動するように配置され、前記駆動リンクは、本明細書において、単一の駆動アーム１１４として実施され、当該駆動アーム１１４は、閉鎖運動の終端部分の間にパネルとストライクジャムの相対運動によって移動するように機械的にレバー１１２に関連付けられる。特定の特に好ましい場合において、本明細書で例証されるように、駆動リンクの移動の第１の範囲は、ロック要素１０８をそのロック位置に移動し、第１の範囲を超える駆動リンクのさらなる移動は、デッドロック状態を達成する。この配列は、図３Ａ−３Ｇを参照して、さらに以下に例証される。
【００４７】
好ましいが限定しない場合において、図２を再び参照すると、本明細書で例証した、駆動アーム１１４およびレバー１１２は両方とも、共通軸１１６の周りを枢動するように枢動自在にマウントされる。有利には、レバー１１２および駆動アーム１１４は、一方向のリンクを介して機械的にリンクされ、閉鎖運動によって引き起こされた第１方向（上から見て反時計方向）のレバーの枢動は、駆動アーム１１４の対応する枢動を生成し、その一方で、レバーの逆方向（上から見て時計方向）の運動が、駆動アームの運動なしに生じ得る。これは例えば、階段状のエッジの特徴１１８に基づく、角度を限定したリンクを使用して実施されると便利であり、階段状のエッジの特徴１１８は、ロック動作の間に運動の角度範囲の１つの極端で動作する。本明細書の駆動アーム１１４は、ロック要素１０８の接触面１２０と係合するために配置された駆動面を有し、その結果、駆動アーム１１４は枢動し、駆動表面は、そのロック位置にロック要素１０８を移動するよう接触面１２０に支持する。本明細書で例証された場合において、駆動表面は形成されたピン１２２の外表面によって提供され、ピン１２２は、ロック要素１０８の形成されたスロット１２４と係合し、スロットの１つのエッジは接触面１２０を提供する。
【００４８】
特定の特に好ましい実施によれば、駆動アーム１１４の駆動面およびロック要素１０８の接触面１２０は、接触プロフィールを定義するように構成され、接触プロフィールは締切りを有し、当該締切りを越える駆動器アームのさらなる回転は、ロック要素のさらなる運動なしに生じ、デッドロック状態を達成する。これは接触面１２０の構成によって図３Ａ−３Ｇで例証され、接触面１２０は角１２６で終了する平滑な部分を持っており、角は前述の締切りを定義する。
【００４９】
パネルの閉鎖と同期するロック機能は、ここで図３Ａ−３Ｇを参照して明確に理解されるだろう。パネルが図３Ａの位置から図３Ｂの位置まで閉鎖されると、パネルの表面がレバー１１２に接するようになり、当該レバーに対して支持し始める。軸１１６に関するレバー１１２の回転は一方向のリンク１１８によって駆動器アーム１１４に対応する回転を伝える。駆動アーム１１４の枢動運動は、スロット１２４の接触面１２０に対して形成されたピン１２２の駆動面を押圧し、これによってロック要素１０８の対応する移動を生成し、該ロック要素は、本明細書では、枢動自在にマウントされたロック要素であり、第２のピボット軸１２８の周りを枢動可能である。パネル１０４とヒンジジャム１０２の間の相対運動の機能としてのロック要素１０８の運動の種々のステージは、図３Ｂ−３Ｅで理解される。図３Ｅのステージでは、ロック要素１０８は、その完全にロックされた位置に達し、形成されたピン１２２は角１２６に達する。この点において、パネル１０４のさらなる運動、そしてその結果駆動アーム１１４の運動は、ロック要素の更なる運動なしに、すなわち「零駆動比」（図３Ｆ）で、形成されたピン１２２を、角１２６を超えて移動し、それによって、ロック位置から遠ざけて移動しようとするどんな力に対しても妨害するデッドロックとして提供する。
【００５０】
ここまで記述された駆動装置およびロック要素の全運動が、ストライクジャムに対するパネルの閉鎖運動と空間的に同期することは注目される。その結果、パネルのおのおのの運動は、ロック要素および／または駆動アームおよび／またはデッドロックの対応する定義された少なくとも一部分生じる運動を、パネルが完全に閉鎖する前に生成する。これは、機構を高度に信頼できるものとし、運動の速度に対して大部分を無感覚にし、その結果、ロック機構はストライクジャムに対するパネルの強力で迅速なスラミングの極端な条件下でさえ確実に動作することが分かった。これは、ばね動作機構とは対照的であり、機構の応答時間は限定され、典型的にはスラミングの極端な条件下で失敗する。
【００５１】
さらにロック要素の移動がパネルの運動で空間的に調整されるので、パネルとロック要素の前進的な係合は、ロック要素と対向面の間の接触なしに有利に生じるが、この場合、ロック運動のパネルの大部分の間あるいはすべての間のパネルである。これは、ばね付勢のロック要素とは対照的であり、対向要素が互いに通過すると、対向要素に対して必ず摩擦する。
【００５２】
ロック要素１０８が図３Ｅの状態から図３Ｆの状態までそのロック位置に達する点を超えて駆動リンクのさらなる運動によってこの実施形態のデッドロック機能が達成されることは注目されるが、このロック機能はストライクジャムに対するパネルのさらなる運動の間に生じる。ロック要素の運動のないパネルのこの継続的な運動は、ロック要素と対向する表面の間の小さなクリアランスを開く。そのロック状態のパネルのいかなる自由な運動も回避することが望まれる場合、これは、弾力性の付勢要素１３０の使用によって達成することができ、当該付勢要素は、ストライクジャムあるいはパネルと関連づけられ、伸縮自在に閉鎖運動のさらなる部分によって変形されるように配置され、その結果、弾力性の付勢要素が第１の位置の方へ戻るようにパネルを付勢する。弾力性の付勢要素１３０は、弾力性のシールストリップの限定しない実施例として本明細書に示され、シールストリップは図３Ｇで例証されるように、パネルの閉鎖運動中に圧縮され、ついで、ロック要素に向かってパネルを弾力的に戻し、それによって間隙を減じるか除去する。随意に、テフロンのような低摩擦および（または）耐摩擦性の材料の高くした一片は、ロック要素の表面上で固定スペーサー（図示せず）として提供されるかもしれない。該ロック要素は正常な使用条件下で主要な表面間の小さなクリアランスを維持するためにパネルに面している。パネルを無理やり開放する試みに、このような高荷重の条件下では、その後、主要な表面は接触し、ロック要素の全荷重支持機能を提供する。
【００５３】
前述の自由な運動を減じるために「能動的なスペーサー」を使用する特徴の代替の或いは付加的なセットは、図５Ａ−６Ｅを参照して以下に述べられる。
【００５４】
＜ロック解除機構＞
本発明のさらなる態様は、ストライクジャムの手動ハンドル、パネルの手動ハンドル、ロックシリンダーおよび動力駆動器のすべての組み合わせなど多数の異なるロック解除インプットを使用してパネルロックをロック解除するために特にコンパクトで、信頼でき、適応可能な構造に関する。本発明のこの態様は、同期ロック機構に関する上記の特徴との組合せの限定しない実施例により本明細書で例証される、しかし、そのような実施に限定されず、ばねに基づいたロック機構などの他の方法の従来のロック機構の文脈で有利に使用することができた。
【００５５】
したがって、本明細書で例証された実施で、駆動リンクは、駆動アーム１１４に機械的にリンクされた解除機構をさらに含む。その結果、解除機構の動作が駆動アーム１１４を移動し、デッドロック状態の係合を離脱するおよび／またはロック要素１０８をそのロック解除状態へと移動する。本発明のこの態様のための「駆動アーム」が、本明細書で例証されるような特に好ましい実施は、本明細書でロック要素１０８の形成されたスロット１２４のエッジによって提供される追加の接触面１３２と接触するために形成されたピン１２２の他の側に設けられた同じ駆動アーム１１４の追加の駆動表面と係合するが、ここまで記述されたとおりのロック要素のロック運動を駆動する要素で必ずしもないことは注目され、駆動アームの逆転枢動運動はロック解除状態へとロック要素を移動するのに有効である。
【００５６】
解除機構は、好適には一方向のリンクによって駆動アーム１１４に機械的にリンクされ、該リンクは、本明細書で有利には、図２で最も理解されるように、スロットの連結する歯または突起１３４によって形成された限定回転リンクを使用して実施され、限定回転リンクは、解除機構の回転可能なロッド１３６にリジッドにマウントされることが示される。本明細書で上から見られるように時計周り方向のロッド１３６の回転に対応する解除機構の動作は、駆動アーム１１４を移動するのに有効で、デッドロック状態の係合をなくし及び／又はそのロック解除した位置へロック要素１０８を開放し、一方、解除機構の逆転運動（本明細書で上から見られる反時計周り方向）駆動アームの運動なしに生じ得る。
【００５７】
特定の特に好ましい実施によれば、駆動アーム１１４および解除機構は、両方とも共通のピボット軸１１６の周りに枢動し得るように枢動自在にマウントされる。解除機構がロック駆動レバー１１２と結合すると、これは好適には駆動アーム１１４および解除機構と共通のピボット軸１１６を共有する。枢動自在にマウントされたロック要素１０８の場合には、ロック要素のピボット軸１２８が最も好ましくは共通のピボット軸１１６に平行であり、共通のピボット軸１１６から離間される。
【００５８】
ロック要素をロック解除するための解除機構と駆動機構の間の一方向の（「一方向」）リンクの提供は、本発明の装置の実施のために多くの著しい利点を備えている。第１に、それは、複数の異なるロック解除機構の使用を容易にし、ロック解除機構は、これらの機構間の直接の機械的な依存なしに個々に動作することができる。この目的のために、解除機構は、好適にはさらにアーム１３８あるいは他の入力表面１４０あるいはリンクの形態で、パネル１０４（図９参照）上の手動操作ハンドル１４２、ストライクジャム１０２（図８Ｅおよび８Ｆ参照）上の手動操作ハンドル１４４、キー操作ロックシリンダー１４６（図１０）および動力式駆動器１４８（図８Ａ）などの多数の対応する手動で或いは電気的に動作するロック解除器のおのおのによってピボット軸１１６の周りの解除機構の枢動を可能にするために回転自在のロッドに関連付けられる。多数のインプットを含んでおり、前記解除器の各々はピボット軸１２８を回転させ、かつ解除機構を動作するように対応するインプットを移動するために配置されている。
【００５９】
これらのロック解除器の各々の動作は、大部分が自明である。図８Ａで最もよく理解されるように、動力式の駆動器１４８は、リニアモーター、ソレノイド、油圧駆動器、空気式駆動器あるいは他の適切な駆動器であり得るが、上部の基準点に付けられ、そして、下方へ伸びる出力軸１５０を短くするために選択的に駆動される。動作の垂直線は、ストライクジャムの実施の簡潔さにより典型的に好まれる。入力アーム１３８上の水平方向の力へのこの垂直動の並進運動はロッカリンク１５２を使用して達成され、出力軸の上昇（短縮）が入力アーム１３８への押し力を生成し、それによってパネルをロック解除するために解除機構を回転させる。
【００６０】
特定の場合に、動力式の駆動器１４８が機能せず、その動作位置に差し込まれ得る事象のためにオーバーライド機構を提供することが望ましい。この目的のために、（本明細書では頂部で）駆動器の「固定」アンカーは、水平ピン１５６上で支持された偏心コア１５４として実施される、調整可能なマウントにマウントされ得る。平常位置（図８Ａおよび８Ｃ）において、動力式の駆動器１４８は「正確に」支持され、位置決めされ、その結果、出力軸１５０の可動域が選択的に入力アーム１３８を駆動或いは解除する。引っ込み状態の駆動器が機能していない場合、あるいは、それがパネルをロック解除するために動力式の駆動器選択を取り消す他の運動に対して望まれる場合、ピン１５６の回転は、図８Ｂおよび８Ｄの位置への偏心コア１５４を移動し、
それによって駆動器のアンカーを下降させて入力アーム１３８からロッカリンク１５２を引き離し、その結果、駆動状態でさえ、動力式の駆動器は解除機構を駆動する動作範囲を持たない。
ピン１５６の調節へのアクセスは、例えば、ドア枠の内部対向面からキーの先端の使用によって、パネルが開放している場合に限りアクセス可能である。偏心コア１５４と同様の機構は、しかし違ったやり方で調整され、明らかに、解除機構を能動的に駆動するために手動オーバーライドに使用され得る。
【００６１】
図８Ｅおよび８Ｆは、手動ハンドル１４４の動作を例証しており、動作は動力式の駆動器に好適には独立し、螺旋形の操作入力表面１４０に対してローラー１５８を押すことにより直接動作し、それによってパネルをロック解除するためにロッド１３６を回転する。
【００６２】
図９は、パネル１０４上にマウントされたハンドル１４２がストライクジャム１０２にマウントされた解除機構と如何にして相互に動作するかを例証する。本明細書で例証された実施例において、適切に形成された入力アーム１３８は、ロック要素１０８あるいは隣接したロック要素１０８間の間隙のスロットを通って伸び、そして、ハンドル１４２が引かれると伸長される伸長可能な舌片１６０によって動作され、解除機構ロッド１３６を回転させるために入力アーム１３８を移動する。
【００６３】
図１０は、１つ以上の歯車１６２およびウォーム歯車式のヘリカル駆動器１６４を介して限定しない典型的な構成での入力アーム１３８とのロックシリンダー１４６とのリンクを例証する。
【００６４】
＜マルチ位置ロック＞
解除機構の一方向のリンクのさらなる利点は、マルチ位置ロックの使用で発生し、複数のロック要素が図１Ｂで例証されるようにストライクジャムまたはパネルのエッジに沿って配置される。各ロック要素１０８との一方向の（一方向）リンクを備えた単一の解除機構の使用によって、解除機構の動作はロック位置からロック解除位置に複数のロック要素をすべて移動するのに有効で、それによって、パネルのロックを解除する。同時に、一方向のリンクの結果、力によってパネルを開放する無許可の試みを通じてロック位置からロック解除位置へのロック要素のうちの１つを直接に移動させることで解除機構は駆動せず、したがって複数のロック要素の別のものをロック位置から遠ざけない。
【００６５】
上記のマルチ位置ロックの実施は、空間的に同期するロックの配列、あるいはデッドロック機能性を有する配列に限定されないが、広範囲の実施中で有利に使用され得る。しかしながら、特定の特に好ましい実施は、上記の空間的に同期するロック機構とマルチ位置ロック構成を組み合わせ、最も好ましくは、解除機構によって解除されるデッドロック機能性を提供する。パネル運動と同期するロックの場合、ロック要素１０８にはそれぞれ、対応するレバー１１２および駆動アーム１１４が有利に設けられ得、その結果、各位置はパネルの閉鎖時に確実に独立してロックされる。多数のレバー１１２の配置は、総じて装置の同期移動機構と呼ばれるのが好ましい。上述されるように、解除機構は許可されたロック解除器のうちのいずれか１つによるロック要素の全部の同時解除を可能にするためにロック要素のすべてに共通にしている。
【００６６】
異なる位置は、ロック要素構成の点、および駆動構成の点から同一である必要がないことは注目される。例えば、パネルの特定の領域が他の領域よりパネルの大きな程度の温度勾配に関連する歪みに順応する必要がある場合、それらの領域の中で配置された、ロック要素は、ロック要素と、パネルまたはストライクジャムとの対向面の間に拡大したクリアランスを提供するように構成され得、その一方で低歪み領域のロック要素は、より小さなクリアランス隙間の状態、あるいはクリアランス隙間が全くない状態が提供され得る。この概念の１つの変形例は図５Ａ（ｌ）−６Ｅ（２）を参照して記載されるように、「能動的なスペーサー」要素である。
【００６７】
＜能動的なスペーサー＞
本発明のさらなる態様によれば、移動可能なスペーサー１６６が、他のロック要素１０８の高い位置、低い位置、あるいはその要素の間の位置、で提供される。説明の明瞭さのために、図５Ａ−６Ｅの各々は、移動自在のスペーサーの状態と、ロック要素１０８の対応する状態をそれぞれのステージで示すように左図（１）と右図（２）とで分離されており、異なる位置で切断される。
【００６８】
機械的に移動可能なスペーサー１６６は、代替のロック要素と考えられ得、例えばピン１７０を含む、対応する駆動アーム１６８によって駆動され、該ピン１６８は移動可能なスペーサー１６６の対応するスロット１７２と係合するが、ロック要素１０８とは異なるのであり、それによって、以下に詳述されるように、移動自在のスペーサーの異なる空間的な同期運動を定める。ここでまた、駆動アーム１６８は軸１１６の周りを枢動自在であり、レバー１１２によってロック方向に駆動される。該レバー１１２は専用レバーであり得、或いはロック要素１０８と共有され得る。
【００６９】
上述され、図５Ａ（２）−５Ｄ（２）で示されるように、ロック要素１０８は好適には図５Ｄ（２）の閉鎖中に第１の点で完全にロックされた位置に達し、パネルのさらなる運動は、デッドロック構成（図５Ｅ（２）−５Ｆ（２））と係合する。対照的に、移動可能なスペーサー１６６の移動プロフィールは、図５Ｄ（ｌ）から図５Ｅ（ｌ）を介して、図５Ｆ（ｌ）までの閉鎖運動のさらなる部分の間に移動自在なスペーサー１６６が移動されるように、構成される。その結果、移動可能なスペーサーが、パネルが図５Ｄ（ｌ）の位置へ戻るのを防ぐためにパネルとストライクジャムの表面の間に介在される。これは、ロック状態のパネルの自由な運動を有効に減じ、パネルとロック要素の間の通常動作の間に増加したクリアランスを維持し、それによって、大きな程度の熱歪み、心のずれなどに順応する。上述されるように、如何なる自由な運動は弾性の付勢要素（例えばシール）１３０によって随意に取り上げられ得る。
【００７０】
移動自在なスペーサー１６６がパネルのロックに寄与し得るがデッドロックされないことは注目されるだろう。その機能が主としてスペーサーとしての機能であるので、すぺーサーは低摩擦材から随意に形成され得、小さな接触面積を有し得る。デッドロックした保護物のより高い位置は、上述されるような１つ以上の残りのロック要素１０８によって依然として提供され、そのロック要素は、好適には、大きな荷重がパネルを緊張させるために適用されるまで、あるいは大きな荷重がパネルを緊張させるあめに適用されない場合、パネルと接触しない非接触要素である。
【００７１】
移動自在なスペーサー１６６のための開放配列は、更にロック要素１０８の配列と完全に類似していて、図６Ａ（ｌ）−６Ｅ（ｌ）から自明になる。
【００７２】
＜双安定ばね＞
本発明の特定の特に好ましい実施において、ここまで記述された変形例の同期移動機構は、解除状態あるいはデッドロック状態のいずれかを呈する同期移動機構に付勢する双安定のばね構成で実施される。レバー１１２の動作によって達成されるポジティブな移動は、典型的には、ばねに頼らないロック要素の有効な配置をもたらすが、双安定のばね機構の存在は有用な追加の保護手段および機能性を提供すると考えられる。第１に、パネルが開放して、ストライクジャムから離れていると、双安定のばね機構により、係止要素（１０８）は、十分に規定された引っ込もロック解除状態で保持されることが確実となり、ロック要素に摩擦することなく、パネルのすぐ後の閉鎖が可能になる。
【００７３】
双安定のばね構成は、中間はね上げ点を有し、これは同期移動機構が、パネルが閉鎖位置に達するまでのパネルの閉鎖運動中に、及び好適には中間はね上げ点を通って移動するように、パネルが閉鎖位置に達する前に、好適に選ばれる。これは、パネルが閉鎖によって非常にゆっくり移動して、完全に閉鎖する直前に止められても、ロック機構がまだ完全に係合することを保証するのを支援する。
【００７４】
図７Ａおよび７Ｂは、この構成のばね１７４が一端でストライクジャム１０２に固定され、ブラケット１７６を介して駆動アーム１１４の繋留点１７８に接続されている、双安定のばね構成の実施を概略的に例証している。破線によって示されるように、ばね１７４のテンションの動作線はピボット軸１１６の両側の間で弾発し、それによって、斯かる運動の１つの極端或いは他の極端へと駆動アーム１１４を付勢する。明確に、同等の機能は、当業者に明らかなように引張ばね１７４をピボット軸の対向する側でマウントした圧縮ばねに置き換えることなどによって構成で達成し得る。
【００７５】
＜変形例＞
ここまで例証された様々な実施の駆動機構は、すべて単純な単一の駆動アーム１１４を使用して示されたが、デッドロック状態のオーバセンタのロック構成を形成する関連する結合リンク（図示せず）を備えた駆動アームなどの代替の駆動機構も使用され得る。
【００７６】
同様に、同時の変位機構は機械的に実施される必要はない。特定の好ましい実施形態では、同期移動は、代わりに適切な駆動器の使用によって達成され得る。該駆動器は、電気動力式、油圧動力式、あるいは空気動力式であり得、かつ電気制御を受けうるか、若しくはいくつかの場合において、油圧回路によって制御され得る。
【００７７】
この実施例において、１つの限定しない概略の例として、図１１Ａ−１１Ｅは、本発明の同期移動の態様の実施を示している。センサー配置は少なくとも１つのセンサー１８０を含み、センサー（１０８）は、パネルが閉鎖位置に達するのに先立ってストライクジャム１０２に対するパネル１０４の相対的位置を感知するために配置される。センサー１８０は、少なくとも閉鎖運動の最終段階中でストライクジャムに対するパネルの複数の位置、或いは位置の連続測定を決定することができる、あらゆる適切なセンサーとして実施され得る。本明細書で例証された実施例において、センサー１８０は、対応するエンコーダトラック１８２と共に働く読取装置（典型的には、光学式または磁気式）であり、ここで読取装置およびエンコーダトラックは、ストライクジャムとパネル（又はパネルを取り巻く領域の他の位置）に対向する面に位置づけられる。適切なセンサーの他の実施例は、限定されないが、近接センサー、レンジセンサおよびマイクロスイッチを含む。
【００７８】
電気的に制御可能な駆動器１８４はロック要素１０８にリンクされ、ロック位置とロック解除位置の間にロック要素を選択的に移動するように構成される。制御装置（図示せず）はセンサー配置および電気的に制御可能な駆動器１８４に関連付けられ、開放位置から閉鎖位置へのパネルの閉鎖運動の少なくとも一部の感知に応答し、パネルが閉鎖位置に達するのに先立ってパネルの閉鎖運動中にロック位置に向かってロック要素の運動を始める。適切な動作プロフィールの一例は図１１Ａ−１１Ｅで例証される。
【００７９】
ここまで例証された実施形態の全部は、ストライクジャム１０２に関連づけられたロック要素１０８を示したが、ロック要素１０８はパネル１０４にマウントされている構造を逆にした代替の実施形態が本発明の範囲内にあることは注目されるべきである。１つの基礎的な典型的な実施として、図１２Ａ−１２Ｆは、そのような実施形態の閉鎖およびロックの配列を例証して、閉鎖され、ロックされ、デッドロックしたパネルの閉鎖を結果的にもたらし、一方、図１３Ａ−１３Ｄは、ロック解除および開放の配列を例証している。解除機構の詳細は説明の単純性のために省略される。
【００８０】
この実施の構造および機能並びに本明細書において上記した様々な特徴に従うそれらの変形例は、ストライクジャムにマウントされた実施との直接の類似性によって当業者に明らかになるであろう。
【００８１】
止め金ラッチおよび駆動リンクが共通軸の周りでの単純な枢動を行う上記実施は、その単純性と信頼度により特に有利であると考えられる。しかしながら、本発明の実施が同等の機能性を備えた配列を包含することは注目される。そこでは止め金ラッチが、線形運動あるいはより複雑な非線形の運動などの異なるタイプの運動を行う。各場合において、適切な駆動リンク構造は、パネルの閉鎖運動の最後の部分で運動を始動させるように容易に設計することができる。
【００８２】
同様に、本発明のロック要素の運動は枢動運動に限定されず、いくつかの場合には直線摺動運動、あるいは他のより複雑な運動或いは複合の運動であってもよい。
【００８３】
＜ラチェットに基づく同期移動構成＞
同期移動構成のさらなる変形例をここまで論じてきたが、デッドロック機能性は、ロック要素１０８に統合ラチェット構成を設けることにより、これによりさらに高めることができるので、それによって、部分的なオーバーラップするものもパネルとロック要素の間で達成されるとすぐに、ロック要素１０８の確実な固着と、パネルのロックを確実にすることによって更に機能性をもたせることができる。発明のこの態様の典型的な実施は、図１４Ａ−１４Ｅで概略的に例証される。
【００８４】
特に、前述のように、ロック要素１０８は、レバー１１２によってパネルの閉鎖運動中に同期して配置され（図１４Ａ乃至１４Ｃ）、該レバー１１２はスロット１２４に係合されたピン１２２を有する駆動アーム１１４を枢動する。本明細書のピンおよびスロットは好適には単純なピンおよびスロット構成であり、このピンおよびスロット構成は、如何なるデッドロック機能性も設ける必要がなく、典型的には、パネルがその全閉鎖位置に達すると、ロック要素のロック運動を完結させる。本明細書で例証された実施において、ロック要素に形成された一連の歯１８６は、そのロック要素がロック位置への移動中にばね荷重がかけられたつめ１８８の上を通過し、それによって、そのロック解除位置への後退に抗する場一列の位置にロック要素を固着する。
【００８５】
明確に、ラチェット配置はロック要素上で単一の止め金と係合する外部ラチェットトラックを使用するために逆にされ得る。同様に、随意にロック位置の連続体をもつ様々な歯がないラチェット構成が、使用され得る。
【００８６】
例証の目的で、この実施は、軸１１６の周りを枢動可能な手動操作可能なロック解除ハンドル（１９０）と共に示され、ハンドル１９０は、つめを係合解除するようにつめ１８８の特徴１９４と係合するための第１の特徴１９２と、ロック要素１０８を後退させロック解除状態へと駆動するように駆動アーム１１４の相補的な特徴と係合するための第２の特徴１９６を有する（図１４Ｄ−１４Ｅ）。
【００８７】
解除機構に、つめ１８８を順次解除し、駆動アーム１１４を引っ込めるように駆動するために適切な係合特徴が設けられている限り、手動操作可能なハンドル１９０は上述された様々な解除機構が補足されるか、あるいはと置き換えられ得る。
【００８８】
＜基礎的なラチェット実施形態＞
上に示されるように、図１４Ａ−１４Ｅの統合ラチェットが同期移動構成の観点で有利に使用され得る一方、段階的なデッドロック効果を提供するラチェット配列の使用、すなわち、ロック要素が係合ステージの配列で、あるいは係合状態の連続的な範囲に沿って、後退に抗して保持される使用は、大きな範囲での適用に広く適用できる。さらなる実施例として、図１５Ａ−１７は、本発明の実施形態に従って構築してゆく可能性があり、ラチェットに基づくデッドロックを備えたロック機構は、典型的ではあるが非限定的な実施の様々な状態を例証している。
【００８９】
ロック機構は、ロック要素１４を備えたパネル１２（典型的にドアあるいは窓）との関係において動作し、該ロック要素１４はパネルの隣接するエッジに平行な軸の周りで枢動するようにフレーム１０に対して枢動自在にマウントされる。したがって、本明細書で例証された実施例において、パネルロック組立体（「装置」）は、フレーム１０によって境界をつけられた開口との関係において実施される。該フレーム１０はストライクジャム（図１５Ａ−１６Ｄの水平方向断面図で示されるフレームの部分）と、開放位置と閉鎖位置との間で移動自在に開口に対してマウントされたパネル１２を含み、開放位置においてパネルは開口の少なくとも一部を開放するためにストライクジャムから分離され、閉鎖位置においてパネルはストライクジャムに抗して閉鎖する。ロック要素１４は、ピボット軸３２（図１５Ｄ以降で見られる）の周りを枢動自在となるようにフレームにマウントされ、ロック位置（図１５Ａ−１５Ｃ）と、ロック解除位置（図１５Ｄ−１５Ｌ）の間で移動可能であり、ロック位置において、ロック要素はパネルと係合し、それによってフレームに対してパネルをロックし、ロック解除位置において、ロック要素がフレームから係合が解除され、それによってフレームからパネルをロック解除する。
【００９０】
掛け金をかけられた（あるいは「デッドロック」）ロック状態を提供するために、ラチェット構成が使用されるのは、本発明の特定の好ましい実施形態の特徴であり、この状態においてロック要素が、ロック要素に直接適用される力によるロック解除位置への移動されるのを防止される。ラチェットの使用は、一列の歯がロック位置への運動の間にロック要素の位置の一列の歯と係合するという点で特に有利であり、それによって、部分的なオーバーラップが、パネルとロック要素の間で達成されるとすぐに、パネルの確実なロックを確実にする。
【００９１】
この原理は広範囲の機械的な構成で実施され得、ラチェットをロック解除し、かつパネルが開放されるときにロック解除位置へとロック要素を移動するための広範囲の異なる駆動機構を使用する。実施形態の特に好ましいサブセットにおいて、ラチェット構成は、ロック要素１４の（内部か外部の）アーチ形の表面に配置された１組のラチェット歯１６と、ロック要素がそのロック位置に向かって移動すると連続したラチェット歯と係合するための相補的なラチェットつめ２０を含んでいる。本明細書に例証された好ましい実施例において、例えば、ばね１８（説明の明瞭さのために図面のいくつかから省略された）によって、ロック要素１４は、そのロック位置に弾性的に付勢され、ラチェットつめ２０は、ラチェット歯１６と係合するために、例えばばね２２によって、弾性的に付勢される。これは、そのロック位置でパネルと係合する取る傾向がある、ロック要素の前述の機能性、および部分的及び完全なロック位置の配列でロック要素の再度の開放を防ぐラチェット配置を提供する。
【００９２】
ロック配置の機能性を十分に提供するために、ドアの閉鎖運動中、および開放機構の動作中の両方で、ラチェットの係合をなくす（解除する）ための機構が提供され、パネル１２に枢動的にマウントされた手動操作のハンドル２６に関して本明細書に概略的に例証される。手動操作のハンドルがあくまでも一例として与えられ、電動駆動器（例えばモーターまたはソレノイド）、キー動作式シリンダーロックおよび様々な他の手動駆動器を含むが、これらに限定されない駆動器の多くの他のタイプおよび構成によって補われる（あるいは置換される）ことが注目される。
【００９３】
本明細書で例証された、限定しない実施例において、ラチェットの解除は形成された当接表面２４に突出したアームを設けることにより促進され、当接表面はラチェットつめ２０と一体化され（あるいは他の方法で、機械的にリンクされ）、その結果、形成された当接表面２４に印加された力はラチェットつめ２０を係合解除位置へと枢動する。本明細書で例証された実施例において、これは、形成された当接表面で支持するレバー部分２８を有するハンドル２６の操作によって行われ、レバー部分を図１５Ｂの係合位置から図１５Ｃの係合解除位置へ移動する。ハンドルのさらなる運動は、レバー部分２８の別の領域をロック要素に直接支持させ、
図１５Ａ−１５Ｃのロック位置から図１５Ｄ−１５Ｋのロック解除位置へレバー部分を移動する。その後、パネルは開放され得る。図１５Ａにおけるように、ハンドル２６は、その定位置に戻すべくばね３０によるなど、弾性的にハンドル２６に付勢されるのが好ましい。
【００９４】
ハンドル２６の位置と無関係に、類似した手順がパネルの閉鎖／スラミング中にパネルの主要な当接表面３４によって達成される。パネルが開放している間、図１５Ｌで示されるように、ロック機構は、通常ロック要素のロック位置およびラチェットの係合状態へ弾性的な付勢下で戻る。リーディングエッジ３４が形成され当接表面２４と接触すると、それはその係合が解除された位置（図１６Ａ）へラチェットポール２０を移動させる。その後のパネルの運動はロック要素１４を直接押圧し、パネルがその閉鎖位置へ通過することを可能にするようにそのばね付勢に抗してパネルを引っ込ませる。形成された当接表面２４に対向するパネルの凹部は、ラチェットがその係合状態に戻ることを可能にする、その結果、パネルが完全に閉鎖しているとき、ロック要素は、そのロック位置に弾性的に戻り、ラチェット構成によって保持される。
【００９５】
＜ドア半開き（Ａｊａｒ）モード＞
特定の状況において、ここで本発明の同期移動構成の実施に言及し直すと、パネルをロック解除するだけでなく、パネルの全閉鎖位置からパネルを取り出すことが望まれ、その結果、パネルは明白に半開きで、容易にロック解除されると見られる。そのようなモードが望まれる状況は、限定されないが、歓迎されていることを客に示し、入るように促すこと；および、ビルディングの迅速な避難を必要とする様々な緊急事態、あるいは救助隊への到達の容易さを含む。多くの従来の方式では、そのような機能性は、その全閉鎖位置からパネルを取り出すことを専用の駆動器に要求するであろう、そして恐らくさらにパネルがその全閉鎖位置へ戻るのを防止する再ロック操作である。
【００９６】
対照的に手動あるいは電動機のような動力式の駆動器と組合せた本発明の「ポジティブなロック」駆動リンクは、パネルをその全閉鎖位置から遠ざけて移動するために、解除機構の動作が十分に駆動リンクを移動させることを確実にする。解除機構が解除する状態で維持される限り、例えば、手動ハンドルが「解除」位置にロックされているか、あるいはリターン運動駆動信号が駆動器モーターに送達されるまで、パネルはその全閉鎖位置から移動され続けるだろう。
【００９７】
解除機構がネットワークにつながれた「スマートホーム」あるいは他のネットワークにつながれた制御システムの一部である場合、「緊急モード」のオン・オフ切り替えは、好適には、例えばスマートフォンＡＰＰを介するなど認定されたユーザーが所有しているネットワークにつながれた電子装置上で適切なスクリーン上に制御を操作することにより遠隔に制御可能である。そのような機能性を支持するのに必要なハードウェアは、典型的には駆動器に配線された電気的な制御装置を含んでおり、制御装置が制御システムによってローカル・エリア・ネットワーク（ＬＡＮ）および／または広域ネットワーク（ＷＡＮ）を介して適切なネットワークの構成要素によって有線又は無線のネットワークの通信によって操作され、認定されたユーザーに、ユーザー・インターフェースを直接あるいはモバイルＡＰＰを介して提供し得る。記述された機能性を実施するのに必要なハードウェアおよび関連づけられたソフトウェアの詳細は、すべて、当業者によって容易に理解され、簡潔さのため本明細書では詳述されない。
【００９８】
＜インターコムモード＞
いくつかの場合には、訪問客あるいはクーリエの配達の到着の際に短時間の期間のように一時的な無限定のアクセスを可能にすることが望ましい一方で、指定の時限内に開放されなければ、パネルがロック解除状態に戻ることを確実にすることが望ましい。この機能性は本明細書で「インターコムモード」と言う。なぜなら、インターコム制御された入り口の場合にアクセスの認可を実行するのにふさわしいからである。しかしながら、このモードはインターコムの文脈で使用するために限定されず、一時的な限定されないアクセスと、制御されたアクセス状態との間で切り替えることが望ましい場合、一連の状況で、および一連の異なる時間間隔のために提供され得る。２つのアプローチが、それぞれアプリケーションの異なるセットに特に適し、この機能性を提供するために本明細書に記述される。
【００９９】
本発明のこの態様の第１のアプローチによれば、インターコムモード機能性は実際にロック機構をロック解除せずに提供され得る。この場合、当該モードは、どんな人も開口プロセスを始めようとするとき、ロック機構をロック解除する全面的な認証を与えることにより実施される。指紋センサーのような生体認証のセンサーによって開放が制御される時に、インターコムモードは、あらかじめ許可された個人との照合を必要とせずに、すべての指の接触（あるいはセンサータイプに従って、他の生体認証の入力が必要なものすべてを供給する）でロック解除／開放を一時的に始動させるために認証アルゴリズムを切り替えることにより実行され得る。このアプローチは、ドアを開放する未知の個人の生体認証のデータの録音を可能にする。それは特定の機密保護シナリオに役立つかもしれない。代わりに、専用センサーは、ドアに接近する人を示す近接センサーの使用、あるいはドアのハンドル上の接触センサー、ドアの隣の人の存在を示すことができる他のセンサー配置、あるいはドアを開放する人によって、開放プロセスの開始を同定し得る。ドアが開かれていない限り、あるいはそれが開かれ再び閉鎖されるとき、パネルは物理的にロックされ続け、開放機構の応答時間は典型的に１秒の何分の１かであるが、そして特に扉ハンドル上の接触感受性のセンサーの場合、ドアがロック解除され、ドアが自由に開くという印象をユーザーに体験させる。ドアを開けるために、「インターコム解放時期」に、試みがなされなければ、ロックシステムは典型的にはその正常な認証基準に切り替わり、許可されたエントリーだけを可能にする。
【０１００】
本発明のこの態様への代替アプローチによれば、付加機構は「ポジティブなロック」動作リンクのパネル取り出し効果を選択的に不能にするために提供され得る。その結果、ロック機構はパネルを取り出さずにロック解除することができ、最も好ましくは望まれる時にロック状態に切り替わることを可能にする。そのような２つの機構が添付図中で例証される。図１８Ａ−２０Ｄは、この特徴の第１の実施を例証する。当該特徴によれば、「ポジティブなロック」駆動リンクの回転軸は移動可能である（図１８Ａ、１９Ａおよび１９Ｂの状態から図１８Ｂ、１９Ｃおよび１９Ｄの状態までの運動）、そのロック位置（図１９Ｅ）からパネルを取り出さずに、そのロック状態からそのロック解除状態までロック機構が移動することを可能にする。その後、パネルは、手動で（図１９Ｆ）開くことができる。駆動リンクの回転軸がその正常位置に戻されると、上述された正常な駆動リンクの機能性が回復される、その結果、すべて上述されるように、パネルの閉鎖がパネルをロックし、かつデッドロックを係合するロック機構を始動させるのに有効
である。
【０１０１】
本明細書で例証した限定しない実施例で、図１９Ｂおよび１９Ｄの水平方向の断面図で最も理解されるように、駆動リンクの回転軸の移動は、偏心中間軸部２００の回転によって達成される。偏心中間軸部２００は駆動軸の中心軸に対して偏心してマウントされる。偏心中間軸部の回転はレバー２０２によって制御されるように示される、しかし明確には、実施の設計の要求にしたがって手動又は動力式の駆動のためのリニア又は回転駆動器の如何なる形態を用いて実行され得ることが明確に示さ得る。駆動リンク回転軸がその元の位置に戻されたときは、すでに例証したとおり、ロック解除された場合に、パネルはフレームから再び取り出される。
【０１０２】
図２０Ａおよび２０Ｂは、図１８Ａ−１８Ｂの構造と一緒に好適に使用される構成要素、すなわち、ローラーまたは転がり軸受２１０を含む、格納可能なばね押上式の保持機構を例証する。保持機構は、ロック機構が「インターコムモード」でロック解除されたときに、その閉鎖位置のパネルを保持するために、パネルの側部の凹部、あるいはパネルの外側エッジと係合する。上述されたロック機構の正常運転に対する如何なる干渉も回避するために、ばね押上式の保持機構は好ましくは引っ込み可能であり、その結果パネルと接しない位置まで引っ込めることができる、最も好ましくは、本明細書に示されるように、ばね押上式の保持機構の延伸と引っ込みは、上に例証されたレバー２０２などの「ポジティブロック」駆動リンク動作を変更するのと同じ機構で駆動される。したがって、本明細書に示されるようなレバーは、ブロック２０６の凹部に係合した別々の偏心駆動器２０４を動作し、ブロック２０６はロッド２０８に摺動自在にマウントされ、該ロッドに沿ってローラー組立体が摺動する。図２０Ａおよび２０Ｃの引っ込んだ位置では、ブロックはばねを圧縮し、かつパネルとの接触からローラー２１０を引っ込ませるようにロッドに沿って押し返される。当該機構がフレームからパネルの取り出しを不能にするために配置されると、ばねの付勢下で前進するように解除され、ローラー２１０をパネル１０４（図２０Ｂおよび２０Ｄ）と係合させる。
【０１０３】
「インターコムモード」の機械的な実施のための代替の実施は、図２１Ａ−２３Ｂを参照して本明細書で例証される。この場合、レバー１１２のヒンジの軸は移動しない。代わりに、機構は第１の位置（図２１Ａ）と第２の位置の間でレバー１１２を軸方向に（垂直方向に）移動するように提供され、第１の位置においてリンクは上述されたようにリンクが動作し、第２の位置においてリンクはパネルの対応する凹部２１２との対向関係をもたらし、その結果、リンクの運動がフレームからパネルを取り出さない。軸方向運動は、駆動リンクとデッドロックアームの間の一方向の駆動係合を維持して、好適に実行される。
【０１０４】
駆動リンクの軸方向運動を駆動するための限定しない実施例は、図２１Ａ−２１Ｂおよび２２Ａ−２２Ｂで最良に理解され、回転ロッド２１４は、「ポジティブロック」駆動レバー１１２に関連づけられた２つのフランジ２１８間に係合された偏心ディスク２１６を支持する。図２１Ａ−２１Ｃは、完全に降下した位置を示し、リンクは上述された駆動リンクの機能性を提供するパネルの表面と当接する。ロッドが１８０度回転すると、偏心ディスク２１６は上部フランジ２１８を上方へ押し、駆動リンクをその完全に上昇した位置へと移動させ、図２２Ａ−２２Ｃで示されるように駆動リンクの当接部がパネルの対応する凹部との対向関係になる。ロック解除機構の後の動作は、ハンドルまたはキーシリンダのインターコムまたは機械的駆動からロック解除駆動ごとに、上述されるようなロック解除位置へとデッドロックおよびロック要素を移動させる。パネル１０４の凹部２１２は、図２３Ａおよび２３Ｂの中で例証されるように、この運動がフレームからパネルを取り出すこと完了する。
【０１０５】
ここでまた、当該機構は、上述された偏心駆動器２０４によって駆動され、偏心駆動器２０４によって駆動され、ピン２１４にマウントされた機構に似た、保持機構と好適に結合され、ばね上げしたローラーまたは転がり軸受２１０が駆動リンクの不活性態のパネルの凹部またはエッジとの係合をもたらす。ここに示された好ましいが限定しない典型的な機構は、偏心駆動器２０４に基づいており、偏心駆動器２０４は、駆動リンク運動を動作するのに際して同じ回転ロッドにマウントされる。
【０１０６】
機構の駆動は回転ロッドを回転させるが、明らかに駆動の追加的又は代替的な形態を使用して実施され得る手動ノブで、本明細書において概略的に例証される。特にモード間の遠隔で駆動したスイッチングが必要なところで、動力式の駆動器（図示せず）は、その動作位置と非動作位置の間での駆動リンクを選択的に移動するために当該機構と駆動関係で配置されるのが好ましい。
【０１０７】
特定の場合には、示されるように、パネルの凹部２１２と駆動レバー１１２の当接領域を相補的な傾斜した表面で実施することが望まれるかもしれない。これは、多くのシナリオの中で有用な機能性を提供し得る。例えば、駆動リンクの移動に対するばね上げした保持機構の運動のタイミングがとられ、その結果、保持機構が運動ほとんどに亘って動作し、その場合、比較的強いばね上げが使用され、駆動リンクの傾斜面および凹部は、保持機構がその活性位置に戻ると、それによって、インターコムモードが非活性化され、その係止状態にロック機構を戻し、駆動リンクの回転を生成するのに好適に十分である。
【０１０８】
＜外部ロック解除ツール＞
ここまで例証された実施形態のすべてにおいて、上述されるように、本発明のロック機構のロック解除のためのすべての入力は、共通の駆動軸（軸１３６上を回転するロッド１３）を介して渡される。特定の場合には、例えば機能不全の場合にロック機構をフリーにするための高トルク機構という代替物を提供することが望まれ得る。機構は、ドアまたは窓の内部の位置付けられた永久的な特徴であり得、あるいはいくつかの場合には状況に依存して、ユーザー、あるいはサービスマンに利用可能にされ得る除去可能なレバー（ツール）で実行され得る。そのような機構の可能な１つの実施は図２４および２５Ａ−２５Ｈに例証される。該構造は、図２４の等角図で最良に見られる。この場合、レバー２２０はピボット２２２にマウントされる（あるいは除去可能なツールの場合、マウント可能である）。レバーの突出端の移動は、デッドロックを解除するように（図２６Ａ−２６Ｄの運動）、まずデッドロック駆動器アーム１１４の領域を係合する（突起ピン２２４としてここに示される）。レバーのピボットは有利にはロック要素自体のピボット軸であり得る。随意に、上述されるようなロック要素の閉じられたスロットと係合したデッドロックの場合、デッドロックを介して適用された更なる力は、ロック要素を引っ込める役目を果たし得る。代替の実施で、本明細書に例証した、レバーアームはそれ自身、ロック要素の当接表面２２６と係合し、ついでロック要素に直接トルクを適用し、ロック解除状態（図２５Ｄ−２５Ｇの配列）にロック要素を引っ込めさせ、パネルの開放を可能にする（図２５Ｈ）。リターン運動において、パネルの閉鎖時に、駆動リンクとのパネルの接触は、すべて上述されるように、当該機構をロックされた、デッドロック状態に戻すのに有効である。
【０１０９】
上述の記載が単に一例として提供することが意図され、他の多くの実施形態が、添付の特許請求の範囲で定義されるような本発明の範囲内で可能であることは認識されるであろう。
【図１Ａ】
2022501531.tif 000003
【図１Ｂ】
2022501531.tif 000004
【図１Ｃ】
2022501531.tif 000005
【図１Ｄ】
2022501531.tif 000006
【図２】
2022501531.tif 000007
【図３Ａ】
2022501531.tif 000008
【図３Ｂ】
2022501531.tif 000009
【図３Ｃ】
2022501531.tif 000010
【図３Ｄ】
2022501531.tif 000011
【図３Ｅ】
2022501531.tif 000012
【図３Ｆ】
2022501531.tif 000013
【図３Ｇ】
2022501531.tif 000014
【図４Ａ】
2022501531.tif 000015
【図４Ｂ】
2022501531.tif 000016
【図４Ｃ】
2022501531.tif 000017
【図４Ｄ】
2022501531.tif 000018
【図４Ｅ】
2022501531.tif 000019
【図５Ａ（１）】
2022501531.tif 000020
【図５Ａ（２）】
2022501531.tif 000021
【図５Ｂ（１）】
2022501531.tif 000022
【図５Ｂ（２）】
2022501531.tif 000023
【図５Ｃ（１）】
2022501531.tif 000024
【図５Ｃ（２）】
2022501531.tif 000025
【図５Ｄ（１）】
2022501531.tif 000026
【図５Ｄ（２）】
2022501531.tif 000027
【図５Ｅ（１）】
2022501531.tif 000028
【図５Ｅ（２）】
2022501531.tif 000029
【図５Ｆ（１）】
2022501531.tif 000030
【図５Ｆ（２）】
2022501531.tif 000031
【図６Ａ（１）】
2022501531.tif 000032
【図６Ａ（２）】
2022501531.tif 000033
【図６Ｂ（１）】
2022501531.tif 000034
【図６Ｂ（２）】
2022501531.tif 000035
【図６Ｃ（１）】
2022501531.tif 000036
【図６Ｃ（２）】
2022501531.tif 000037
【図６Ｄ（１）】
2022501531.tif 000038
【図６Ｄ（２）】
2022501531.tif 000039
【図６Ｅ（１）】
2022501531.tif 000040
【図６Ｅ（２）】
2022501531.tif 000041
【図７Ａ】
2022501531.tif 000042
【図７Ｂ】
2022501531.tif 000043
【図８Ａ】
2022501531.tif 000044
【図８Ｂ】
2022501531.tif 000045
【図８Ｃ】
2022501531.tif 000046
【図８Ｄ】
2022501531.tif 000047
【図８Ｅ】
2022501531.tif 000048
【図８Ｆ】
2022501531.tif 000049
【図９】
2022501531.tif 000050
【図１０】
2022501531.tif 000051
【図１１Ａ】
2022501531.tif 000052
【図１１Ｂ】
2022501531.tif 000053
【図１１Ｃ】
2022501531.tif 000054
【図１１Ｄ】
2022501531.tif 000055
【図１１Ｅ】
2022501531.tif 000056
【図１２Ａ】
2022501531.tif 000057
【図１２Ｂ】
2022501531.tif 000058
【図１２Ｃ】
2022501531.tif 000059
【図１２Ｄ】
2022501531.tif 000060
【図１２Ｅ】
2022501531.tif 000061
【図１２Ｆ】
2022501531.tif 000062
【図１３Ａ】
2022501531.tif 000063
【図１３Ｂ】
2022501531.tif 000064
【図１３Ｃ】
2022501531.tif 000065
【図１３Ｄ】
2022501531.tif 000066
【図１４Ａ】
2022501531.tif 000067
【図１４Ｂ】
2022501531.tif 000068
【図１４Ｃ】
2022501531.tif 000069
【図１４Ｄ】
2022501531.tif 000070
【図１４Ｅ】
2022501531.tif 000071
【図１５Ａ】
2022501531.tif 000072
【図１５Ｂ】
2022501531.tif 000073
【図１５Ｃ】
2022501531.tif 000074
【図１５Ｄ】
2022501531.tif 000075
【図１５Ｅ】
2022501531.tif 000076
【図１５Ｆ】
2022501531.tif 000077
【図１５Ｇ】
2022501531.tif 000078
【図１５Ｈ】
2022501531.tif 000079
【図１５Ｉ】
2022501531.tif 000080
【図１５Ｊ】
2022501531.tif 000081
【図１５Ｋ】
2022501531.tif 000082
【図１５Ｌ】
2022501531.tif 000083
【図１６Ａ】
2022501531.tif 000084
【図１６Ｂ】
2022501531.tif 000085
【図１６Ｃ】
2022501531.tif 000086
【図１６Ｄ】
2022501531.tif 000087
【図１７】
2022501531.tif 000088
【図１８Ａ】
2022501531.tif 000089
【図１８Ｂ】
2022501531.tif 000090
【図１９Ａ】
2022501531.tif 000091
【図１９Ｂ】
2022501531.tif 000092
【図１９Ｃ】
2022501531.tif 000093
【図１９Ｄ】
2022501531.tif 000094
【図１９Ｅ】
2022501531.tif 000095
【図１９Ｆ】
2022501531.tif 000096
【図２０Ａ】
2022501531.tif 000097
【図２０Ｂ】
2022501531.tif 000098
【図２０Ｃ】
2022501531.tif 000099
【図２０Ｄ】
2022501531.tif 000100
【図２１Ａ】
2022501531.tif 000101
【図２１Ｂ】
2022501531.tif 000102
【図２１Ｃ】
2022501531.tif 000103
【図２２Ａ】
2022501531.tif 000104
【図２２Ｂ】
2022501531.tif 000105
【図２２Ｃ】
2022501531.tif 000106
【図２３Ａ】
2022501531.tif 000107
【図２３Ｂ】
2022501531.tif 000108
【図２４】
2022501531.tif 000109
【図２５Ａ】
2022501531.tif 000110
【図２５Ｂ】
2022501531.tif 000111
【図２５Ｃ】
2022501531.tif 000112
【図２５Ｄ】
2022501531.tif 000113
【図２５Ｅ】
2022501531.tif 000114
【図２５Ｆ】
2022501531.tif 000115
【図２５Ｇ】
2022501531.tif 000116
【図２５Ｈ】
2022501531.tif 000117
【国際調査報告】
2022501531.tif 000118
2022501531.tif 000119
2022501531.tif 000120